(57)【要約】【課題】所望の記憶データを、登録件数や読み仮名によらず少ない操作回数で簡単かつ短時間に検索できるようにして、検索性の向上を図る。【解決手段】「２タッチ検索モード」の初期画面が表示されている状態で、ユーザが任意の行のダイヤルキーを押した場合に、当該行のダイヤルデータが登録されていなかったとすると、表示画面に当該行には登録データがない旨を報知する画面を表示する。そして、この登録なしを報知する画面の表示中にユーザがマルチファンクションキーを操作すると、隣接する行のダイヤルデータの表示に切り替わるようにしたものである。【選択図】図７
2010141914.tif 000002
【特許請求の範囲】
【請求項１】
ダイヤルキーの操作により電話帳メモリを検索して所望の記憶データを読み出す電話帳検索機能を備えた通信端末装置において、
五十音表の行を指定するキーがワンタッチ操作された場合に、この操作されたキーに対応する行の音で始まる記憶データを前記電話帳メモリから読み出して表示部に表示させる第１の制御手段と、
前記操作された行を指定するキーに対応する行の音で始まる記憶データが前記電話帳メモリに記憶されていなかった場合には、当該行の音で始まる記憶データ以外のデータを表示部に表示させ、その後マルチファンクションキーが操作された場合には、前記記憶データが記憶されていない行以外の行の記憶データを前記電話帳メモリから読み出して表示部に表示させる第２の制御手段と
を備えることを特徴とする通信端末装置。
【請求項２】
前記第１の制御手段は、五十音表の行を指定するキーがワンタッチ操作された場合に、この操作されたキーに対応する行の音で始まる記憶データを前記電話帳メモリから読み出して表示部に表示させ、この状態で前記五十音表の段を指定するキーがワンタッチ操作された場合に、前記表示中の行に対応する記憶データの中から前記操作されたキーに対応する段の音で始まる記憶データを選択して前記表示部に表示させることを特徴とする請求項１記載の通信端末装置。
【請求項３】
前記第２の制御手段は、前記行の音で始まる記憶データ以外のデータを表示部に表示させた状態で、マルチファンクションキーが操作された場合には、前記記憶データが記憶されていない行に隣接する行の記憶データを前記電話帳メモリから読み出して表示部に表示させることを特徴とする請求項１又は２記載の通信端末装置。
【請求項４】
前記第２の制御手段は、前記行の音で始まる記憶データ以外のデータを表示部に表示させた状態で、マルチファンクションキーの左キーが操作された場合には前記記憶データが記憶されていない行に対し左隣に位置する行の記憶データを前記電話帳メモリから読み出して表示部に表示させることを特徴とする請求項３記載の通信端末装置。
【請求項５】
前記第２の制御手段は、前記行の音で始まる記憶データ以外のデータを表示部に表示させた状態で、マルチファンクションキーの右キーが操作された場合には前記記憶データが記憶されていない行に対し右隣に位置する行の記憶データを前記電話帳メモリから読み出して表示部に表示させることを特徴とする請求項３記載の通信端末装置。
【発明の詳細な説明】
【技術分野】
【０００１】
この発明は、例えば携帯電話機やＰＨＳ（Personal Handyphone System）端末等の移動通信端末装置や、有線電話端末装置等の通信端末装置に係わり、特にダイヤルキーの操作により電話帳メモリを検索して所望の記憶データを読み出す電話帳検索機能を備えた通信端末装置に関する。
【背景技術】
【０００２】
一般に、携帯電話機やＰＨＳ端末、有線電話端末等の通信端末装置には、電話帳メモリが内蔵されている。電話帳メモリは、メモリダイヤル発信機能と組み合わせることで所望の相手に対し少ない操作で発信を行えたり、また通信網の発信者番号通知機能と組み合わせることで着信時に発信者の名前を表示することができ、大変便利である。
【０００３】
ところで、上記電話帳メモリを使用して発信を行う場合には、ダイヤルキーの操作により電話帳メモリから所望の発信相手先の記憶データを検索する必要があり、その検索機能として従来では例えばメモリ登録番号により検索するものや、グループ番号により検索するもの、読み仮名により検索するものが用いられている（例えば、特許文献１を参照。）。
【０００４】
このうちメモリ登録番号により検索するものと、グループ番号により検索するものは、発信相手先のダイヤルデータが登録されたメモリ番号或いはグループ番号をダイヤルキーで入力することで検索するもので、発信相手先のメモリ番号或いはグループ番号をユーザが記憶していれば有効な検索手法となるが、記憶していない場合にはメモリ番号順にスクロール検索しなければならないため、登録件数が多くなると検索に非常に多くの時間が必要となる。
【０００５】
一方、読み仮名により検索するものは、ダイヤルキー操作により発信相手の読み仮名を入力することで検索するため、メモリ番号入力に比べ短時間に検索できる利点がある。しかし、ダイヤルキーにより読み仮名を入力する場合には一般にトグル入力方式が使用される。このため、入力する読み仮名によっては、キーの操作回数が多くなって検索操作が面倒となる共に、検索に思いの外時間がかかる。
【先行技術文献】
【特許文献】
【０００６】
【特許文献１】特開平５−１９９３０９号公報
【発明の概要】
【発明が解決しようとする課題】
【０００７】
ところが、以上述べたように従来使用されている電話帳検索機能は、登録件数が多い場合や入力する読み仮名によっては検索に多くの操作回数を要し、この結果検索に時間がかかるという問題点を有している。
この発明は上記事情に着目してなされたもので、その目的とするところは、所望の記憶データを、登録件数や読み仮名によらず少ない操作回数で簡単かつ短時間に検索できるようにし、これにより検索性の向上を図った通信端末装置を提供することにある。
【課題を解決するための手段】
【０００８】
上記目的を達成するためにこの発明の１つ観点は、ダイヤルキーの操作により電話帳メモリを検索して所望の記憶データを読み出す電話帳検索機能を備えた通信端末装置にあって、以下のような手段を備えたものである。すなわち、五十音表の行を指定するキーがワンタッチ操作された場合に、この操作されたキーに対応する行の音で始まる記憶データを前記電話帳メモリから読み出して表示部に表示させる。また、前記操作された行を指定するキーに対応する行の音で始まる記憶データが前記電話帳メモリに記憶されていなかった場合には、当該行の音で始まる記憶データ以外のデータを表示部に表示させ、その後マルチファンクションキーが操作された場合には、前記記憶データが記憶されていない行以外の行の記憶データを前記電話帳メモリから読み出して表示部に表示させる。
【０００９】
具体的には、以下のような態様が考えられる。  
第１の態様は、五十音表の行を指定するキーがワンタッチ操作された場合に、この操作されたキーに対応する行の音で始まる記憶データを前記電話帳メモリから読み出して表示部に表示させ、この状態で前記五十音表の段を指定するキーがワンタッチ操作された場合に、前記表示中の行に対応する記憶データの中から前記操作されたキーに対応する段の音で始まる記憶データを選択して前記表示部に表示させるものである。
【００１０】
第２の態様は、行の音で始まる記憶データ以外のデータを表示部に表示させた状態で、マルチファンクションキーが操作された場合には、上記記憶データが記憶されていない行に隣接する行の記憶データを電話帳メモリから読み出して表示部に表示させるものである。  
例えば、マルチファンクションキーの左キーが操作された場合には、上記記憶データが記憶されていない行に対し左隣に位置する行の記憶データを電話帳メモリから読み出して表示部に表示させる。  
また、マルチファンクションキーの右キーが操作された場合には、上記記憶データが記憶されていない行に対し右隣に位置する行の記憶データを電話帳メモリから読み出して表示部に表示させる。
【発明の効果】
【００１１】
すなわちこの発明によれば、所望の記憶データを登録件数によらず少ない操作回数で簡単かつ短時間に検索することができ、これにより検索性の向上を図り得る通信端末装置を提供することができる。
【図面の簡単な説明】
【００１２】
【図１】この発明に係わる通信装置の一実施形態であるＴＤＭＡ携帯電話端末装置の構成を示す回路ブロック図。
【図２】メニューから起動する場合の検索モード指定動作を説明するための図。
【図３】コール操作から起動する場合の検索モード指定動作を説明するための図。
【図４】パーソナルフォルダに登録がない状態でメニューから起動する場合の検索モード指定動作を説明するための図。
【図５】パーソナルフォルダに登録がない状態でコール操作から起動する場合の検索モード指定動作を説明するための図。
【図６】２タッチ検索モードにおいて行の切替操作を行った場合の動作手順と検索結果の表示例を示す図。
【図７】２タッチ検索モードにおいて行の切替操作を行った結果該当する行に登録がなかった場合の動作手順と検索結果の表示例を示す図。
【図８】２タッチ検索モードにおいて段の切替操作を行った場合の動作手順と検索結果の表示例を示す図。
【発明を実施するための形態】
【００１３】
以下、図面を参照してこの発明に係わる実施形態を説明する。  
図１は、この発明に係わる通信端末装置の一実施形態であるＴＤＭＡ携帯電話端末の構成を示す回路ブロック図である。
【００１４】
同図において、図示しない基地局から無線チャネルを介して送られた無線搬送波信号は、アンテナ１で受信されたのちアンテナ共用器（ＤＵＰ）２を介して受信回路（ＲＸ）３に入力され、ここで周波数シンセサイザ（ＳＹＮ）４から出力された受信局部発振信号とミキシングされて受信中間周波信号に周波数変換される。そして、この受信中間周波信号は、低域通過フィルタを含むＡ／Ｄ変換器６においてサンプリングされたのち、ディジタル復調回路（ＤＥＭ）７に入力される。
【００１５】
ディジタル復調回路７では、上記ディジタル受信中間周波信号に対する伝送フレームに対する同期およびビット同期が確立されたうえで、ディジタル復調処理が行なわれる。この復調処理により得られたベースバンドのディジタル復調信号は、時分割多元接続（ＴＤＭＡ：Time Division Multiple Access）回路８に入力され、ここで各伝送フレームごとに自己宛てのタイムスロットが分離抽出される。尚、上記ディジタル復調回路７において得られた伝送フレームに対する同期およびビット同期の情報は制御回路２０に入力される。
【００１６】
上記ＴＤＭＡ回路８から出力されたディジタル復調信号は、続いて誤り訂正符号復号回路（ＣＨ−ＣＯＤ）９に入力され、ここで誤り訂正復号処理される。そして、この誤り訂正復号されたディジタル復調信号は、音声符号復号回路（ＳＰ−ＣＯＤ）１０に入力されて音声復号化処理され、これによりディジタル受話信号が再生される。このディジタル受話信号は、コーデックを構成するＤ／Ａ変換器１１でアナログ受話信号に戻されたのち図示しない音声増幅器を介してスピーカ１２に供給され、このスピーカ１２から拡声出力される。
【００１７】
一方、話者の送話音声は、マイクロホン１３により集音されて送話信号に変換されたのちＡ／Ｄ変換器１４に入力され、このＡ／Ｄ変換器１４で所定のサンプリング周期でサンプリングされて、これによりサンプルパルス列からなるディジタル送話信号に変換される。このディジタル送話信号は、図示しないエコーキャンセラで音響エコーがキャンセルされたのち、音声符号復号回路（ＳＰ−ＣＯＤ）９に入力され、ここで音声符号化される。
【００１８】
この音声符号化されたディジタル送話信号は、制御回路２０から出力された制御信号とともに誤り訂正符号復号回路（ＣＨ−ＣＯＤ）９に入力され、ここで誤り訂正符号化される。そして、この誤り訂正符号化されたディジタル送信信号はＴＤＭＡ回路８に入力される。このＴＤＭＡ回路８では、ＴＤＭＡ方式に対応した伝送フレームが生成され、この伝送フレーム中の自装置に割り当てられたタイムスロットに上記ディジタル送信信号を挿入するための処理が行なわれる。このＴＤＭＡ回路８から出力されたディジタル送信信号は、続いてディジタル変調回路（ＭＯＤ）１６に入力される。
【００１９】
このディジタル変調回路１６では、上記ディジタル送信信号によりディジタル変調された送信中間周波信号が発生され、この送信中間周波信号はＤ／Ａ変換器１７によりアナログ信号に変換されたのち送信回路（ＴＸ）５に入力される。なお、ディジタル変調方式としては、たとえばπ／４シフトＤＱＰＳＫ（π／４shifted ，differentially encoded quadrature phase shift keying）方式が使用される。
【００２０】
送信回路５では、上記変調された送信中間周波信号が周波数シンセサイザ４から出力された送信局部発振信号とミキシングされ、これにより無線通話チャネルに対応する無線搬送波周波数に変換される。そして、この無線搬送波信号は図示しない送信電力増幅器で所定の送信電力レベルに制御されたのち、アンテナ共用器２を介してアンテナ１から図示しない基地局へ向けて送信される。
【００２１】
なお、２１はダイヤルキーと、コールキー、クリアキー及びマルチファンクションキー等からなる機能キー群を有するキー入力部（ＫＥＹ）であり、また２２は液晶表示器（ＬＣＤ）や発光ダイオード（ＬＥＤ）が配置された表示部（ＤＩＳＰ）を示している。さらに１８はバッテリ、１９は電源回路であり、電源回路１９はバッテリ１８の出力電圧を基に装置各部の動作に必要な動作電圧Ｖccを生成して上記各部に供給する。
【００２２】
ところで、この携帯電話端末はパーソナルフォルダと呼称される電話帳メモリ２３を備えている。この電話帳メモリ２３は例えばＥＥＰＲＯＭからなり、複数の通信相手のダイヤルデータがメモリ番号に対応付けて登録される。ダイヤルデータは、例えば通信相手の電話番号とその属性情報とから構成される。属性情報には名前やニックネーム、住所、メールアドレス等が含まれる。
【００２３】
制御回路２０は、マイクロプロセッサを主制御部として使用したもので、その制御機能として、発着呼や通信に係わる通常の制御機能のほかに、この発明に係わる検索モード指定制御機能２０ａと、２タッチモード検索制御機能２０ｂとを備えている。
検索モード指定制御機能２０ａは、ユーザがキー入力部２１において複数の検索モードのうちの１つを指定する操作を行った場合に、制御回路２０の検索制御機能を上記指定された検索モードに設定する。検索モードとしては、キー入力された読み仮名に応じて電話帳メモリ２３を検索する読み仮名検索モードと、キー入力されたグループ番号をもとに電話帳メモリ２３を検索するグループ検索モードと、２タッチ検索モードとがある。
【００２４】
２タッチモード検索制御機能２０ｂは、上記２タッチ検索モードが設定された状態で、先ず五十音表の「あ」〜「わ」の各行をそれぞれダイヤルキーの「１」〜「０」に割り当て、この状態でダイヤルキーが押された場合にこの操作キーに対応する行の音で始まるダイヤルデータを電話帳メモリ２３から読み出して表示部２２のＬＣＤに表示させる。次に、五十音表の「あ」〜「お」の各段をそれぞれダイヤルキーの「１」〜「５」に割り当て、この状態でダイヤルキーが押された場合に、上記表示中の行に対応するダイヤルデータの中から、上記操作キーに対応する段の音で始まるダイヤルデータを選択して表示部２２のＬＣＤに表示させる。
【００２５】
次に、以上のように構成された装置における電話帳検索動作を説明する。図２乃至図８はその動作手順と検索結果の表示例を示すものである。
（１）メニューから起動する場合の検索モード指定動作  
待受画面（図２の２ａ）において、ユーザがマルチファンクションキーを操作してメニュー及び個人メニューを選択すると、個人メニュー画面（図２の２ｂ）が表示される。そして、この状態で決定キー（中）を押すことで“パーソナルフォルダ”を選択すると、電話帳検索モードが起動される。このとき表示画面には、先ず「２タッチ検索モード」の初期画面（図２の２ｃ）が表示され、この状態でユーザがマルチファンクションキーによりモード選択操作を行うと、この操作ごとに表示画面が「グループ検索モード」の初期画面（図２の２ｄ）、「読み仮名検索モード」の初期画面（図２の２ｅ）に順次切り替わる。なお、各画面においてクリア操作を行うと、上記個人メニュー画面（図２の２ｂ）に戻る。
【００２６】
（２）メニューから起動する場合の検索モード指定動作  
待受画面（図３の３ａ）において、ユーザがコールキーを操作すると、電話帳検索モードが起動される。このとき表示画面には、先ず「２タッチ検索モード」の初期画面（図３の３ｂ）が表示され、この状態でユーザがマルチファンクションキーによりモード選択操作を行うと、この操作ごとに表示画面が「グループ検索モード」の初期画面（図３の３ｃ）、「読み仮名検索モード」の初期画面（図３の３ｄ）に順次切り替わる。なお、各画面においてクリア操作を行うと、上記待受画面（図３の３ａ）に戻る。
【００２７】
（３）パーソナルフォルダに登録がない状態でメニューから起動した場合の動作  
個人メニュー画面（図２の２ｂ）が表示された状態で、決定キー（中）を押すことにより“パーソナルフォルダ”を選択すると、電話帳検索モードが起動される。しかし、このとき電話帳メモリ２３にダイヤルデータが全く登録されていないと、登録がない旨のメッセージを表示する画面（図４の４ａ）が表示される。そして、この状態で２秒が経過すると、自動的に待受画面（図２の２ａ）に戻る。
【００２８】
（４）パーソナルフォルダに登録がない状態でコールから起動した場合の動作  
電話帳検索モードが起動されている状態の各表示画面、つまり「２タッチ検索モード」の初期画面（図３の３ｂ）、「グループ検索モード」の初期画面（図３の３ｃ）及び「読み仮名検索モード」の初期画面（図３の３ｄ）が表示されている状態で、ユーザが何らかの選択操作を行っても、電話帳メモリ２３にダイヤルデータが全く登録されていないと、登録がない旨のメッセージを表示する画面（図５の５ａ）が表示される。そして、この状態で２秒が経過すると、自動的に待受画面（図２の２ａ）に戻る。
【００２９】
（５）２タッチ検索モードにおいて行の指定操作を行った場合の動作  
先に述べた検索モードの指定操作により２タッチ検索モードが選択された状態（図６の６ａ）では、先に述べたように五十音表の「あ」〜「わ」の各行がそれぞれダイヤルキーの「１」〜「０」に割り当てられる。
【００３０】
この状態で、ユーザがダイヤルキーの「１」〜「０」のいずれかを押すと、この押されたキーに対応付けられた「行」の音から始まるダイヤルデータが電話帳メモリ２３から選択的に読み出され、表示部２２のＬＣＤに表示される。
例えば、ダイヤルキー「１」を押した場合には、「あ」行の“あ”から始まるとダイヤルデータが読み出されて図６の６ｂに示すように表示される。また、ダイヤルキー「２」を押した場合には、「か」行の“か”から始まるとダイヤルデータが読み出されて図６の６ｃに示すように表示される。同様に、ダイヤルキー「０」を押した場合には、「わ」行の“わ”から始まるとダイヤルデータが読み出されて図６の６ｄに示すように表示される。
【００３１】
なお、ダイヤルキーの＊には「その他」が割り当てられており、ダイヤルキーの＊が押されると、「あ」〜「わ」以外の文字で始まるダイヤルデータが電話帳メモリ２３から読み出されて表示される。
【００３２】
（６）２タッチ検索モードにおいて上記「行」の指定操作を行った結果、その行に登録データがなかった場合の動作  
「２タッチ検索モード」の初期画面（図７の７ａ）が表示されている状態で、ユーザが例えばダイヤルキー「２」を押したとする。この場合、通常であれば先に述べたように「か」行の“か”から始まるとダイヤルデータが読み出されて表示される。しかし、いま「か」行のダイヤルデータが登録されていなかったとすると、表示画面には「か」行には登録データがない旨を報知する画面（図７の７ｂ）が表示される。
【００３３】
なお、この登録なしを報知する画面の表示中にマルチファンクションキーを操作すると、隣接する行のダイヤルデータの表示に切り替わる。例えば、上記「か」行の表示中にマルチファンクションキーを操作した場合には、「あ」行又は「さ」行のダイヤルデータを表示する画面に切り替わる。
【００３４】
（７）２タッチ検索モードにおいて、上記「行」の指定操作に続いて「段」の指定操作を行った場合の動作  
上記「行」の指定操作に応じて行のダイヤルデータが表示されると、制御回路２０は「段」の検索モードに移行する。すなわち、五十音表の「あ」〜「お」の各段がそれぞれダイヤルキーの「１」〜「５」に割り当てられる。
【００３５】
この状態で、ユーザがダイヤルキーの「１」〜「５」のいずれかを押すと、この押されたキーに対応付けられた「段」の音から始まるダイヤルデータが電話帳メモリ２３から選択的に読み出され、表示部２２のＬＣＤに表示される。
例えば、上記したように「あ」行のダイヤルデータが表示されている状態で、ユーザがダイヤルキー「２」を押すと、図８の８ｃに示すように「あ」行「い」段のダイヤルデータから表示され、またダイヤルキー「３」を押すと、図８の８ｄに示すように「あ」行「う」段のダイヤルデータから表示される。同様に、ユーザがダイヤルキー「４」を押すと、図８の８ｅに示すように「あ」行「え」段のダイヤルデータから表示され、またダイヤルキー「５」を押すと「あ」行「お」段のダイヤルデータから表示される。
【００３６】
なお、上記ダイヤルキーによる「段」指定操作により選択された音から始まるダイヤルデータが登録されていなかった場合には、このダイヤルキーによる「段」指定操作を無効とする。例えば、上記「あ」行のダイヤルデータが表示されている状態で、ダイヤルキー「５」を押したところ、この「あ」行「お」段から始まるダイヤルデータが登録されていなければ、上記ダイヤルキー「５」の操作は無効とされ、表示画面は図８の８ｆに示すように変化しない。
【００３７】
以上述べたようにこの実施形態では、電話帳検索モードとして２タッチ検索モードを設けている。そして、この２タッチ検索モードが指定された状態では、先ず五十音表の「あ」〜「わ」の各行をそれぞれダイヤルキーの「１」〜「０」に割り当て、この状態でダイヤルキーが押された場合にこの操作キーに対応する行の音で始まるダイヤルデータを電話帳メモリ２３から読み出して表示部２２のＬＣＤに表示させる。次に、五十音表の「あ」〜「お」の各段をそれぞれダイヤルキーの「１」〜「５」に割り当て、この状態でダイヤルキーが押された場合に、上記表示中の行に対応するダイヤルデータの中から、上記操作キーに対応する段の音で始まるダイヤルデータを選択して表示部２２のＬＣＤに表示させるようにしている。
【００３８】
したがってこの実施形態によれば、ユーザはダイヤルキーにより五十音表の「行」と「段」を続けてワンタッチ操作するだけで、これらのキー操作により指定された「行」及び「段」により特定される音で始まるダイヤルデータが電話帳メモリ２３から読み出されて表示されることになる。このため、電話帳メモリ２３への登録件数が非常に多い場合でも、また検索対象のダイヤルデータが如何なる読み仮名であっても、常に２タッチのみの少数の操作を行うだけで簡単かつ短時間に所望の音で始まるダイヤルデータを検索し表示させることができる。したがって、電話帳メモリ２３に対する検索性は大幅に向上する。
【００３９】
なお、この発明は上記実施形態に限定されるものではない。例えば、前記実施形態ではＴＤＭＡ携帯電話端末装置例にとって説明したが、それに限るものではなくＣＤＭＡ携帯電話端末装置やＰＨＳ端末、有線電話端末装置などの各種通信端末装置にも同様に適用可能である。  
その他、２タッチ検索の制御手順やその内容、検索された情報の表示形態などについても、この発明の要旨を逸脱しない範囲で種々変形して実施できる。
【符号の説明】
【００４０】
１…アンテナ、２…アンテナ共用器（ＤＵＰ）、３…受信回路（ＲＸ）、４…周波数シンセサイザ（ＳＹＮ）、５…送信回路（ＴＸ）、６，１４…Ａ／Ｄ変換器、７…ディジタル復調回路（ＤＥＭ）、８…ＴＤＭＡ回路、９…誤り訂正符号復号回路（ＣＨ−ＣＯＤ）、１０…音声符号復号回路（ＳＰ−ＣＯＤ）、１１，１７…Ｄ／Ａ変換器、１２…スピーカ、１３…マイクロホン、１６…ディジタル変調回路（ＭＯＤ）、１８…バッテリ、１９…電源回路、２０…制御回路、２０ａ…検索モード指定制御手段、２０ｂ…２タッチモード検索制御手段、２１…キー入力部（ＫＥＹ）、２２…表示部（ＤＩＳＰ）、２３…電話帳メモリ。
【図１】
2010141914.tif 000003
【図２】
2010141914.tif 000004
【図３】
2010141914.tif 000005
【図４】
2010141914.tif 000006
【図５】
2010141914.tif 000007
【図６】
2010141914.tif 000008
【図７】
2010141914.tif 000009
【図８】
2010141914.tif 000010